(57)【要約】      （修正有）【課題】メモリから供給される印刷データを効率よく印刷することが可能な印刷システム、印刷処理装置及び印刷処理システムの制御方法を提供すること。【解決手段】特定のアプリケーションソフトにより書かれた印刷されるべき印刷ファイルを印刷の形式に変換するプリンタドライバと、前記印刷ファイルが記憶された脱可能なメモリが接続されたとき、前記印刷ファイルが前記プリンタドライバにより印刷可能な形式に変換できるものか否か判断する印刷可能判断部と、印刷可能な形式の変換印刷データに変換する第1の印刷形式変換部と、変換印刷データを印刷する印刷部と、前記印刷可能判断部において、前記印刷ファイルが印刷可能な形式に変換できないと判断されたとき、前記印刷ファイルを送信する印刷ファイル送信部と、を有する印刷処理装置。【選択図】図１
2006164230.tif 000002
【特許請求の範囲】
【請求項１】
特定のアプリケーションソフトにより書かれた印刷されるべき印刷ファイルを印刷の形式に変換するプリンタドライバと、前記印刷ファイルが記憶された、着脱可能なメモリが接続されたとき、前記印刷ファイルが前記プリンタドライバにより印刷可能な形式に変換できるものか否か判断する印刷可能判断部と、前記印刷可能判断部により、前記印刷ファイルが印刷可能な形式に変換できると判断されたとき、前記プリンタドライバにより印刷可能な形式の変換印刷データに変換する第1の印刷形式変換部と、第1の印刷形式変換部により印刷可能な形式に変換された前記変換印刷データを印刷する印刷部と、前記印刷可能判断部において、前記印刷ファイルが印刷可能な形式に変換できないと判断されたとき、前記印刷ファイルを送信する印刷ファイル送信部と、を有する印刷処理装置と、
前記印刷処理装置の印刷ファイル送信部により送信された前記印刷ファイルを受信する印刷ファイル受信部と、この印刷ファイル受信部にて受信した前記印刷ファイルを印刷可能な形式に変換できるプリンタドライバにより変換印刷データに変換する第2の印刷形式変換部と、この第2の印刷形式変換部により印刷可能な形式に変換された前記変換印刷データを前記印刷処理装置に送信する送信部と、を有する印刷処理サーバと、
を有することを特徴とする印刷処理システム。
【請求項２】
前記印刷処理装置は、前記メモリが接続されたとき、前記メモリ内に記憶されている印刷ファイルを表示し、この表示されたファイルの少なくとも1つが操作者により特定されたとき、その特定されたファイルを印刷されるべき印刷ファイルとして入力する操作パネル部を、更に有することを特徴とする請求項１記載の印刷処理システム。
【請求項３】
特定のアプリケーションソフトにより書かれた印刷されるべき印刷ファイルを印刷の形式に変換するプリンタドライバと、
印刷ファイルが記憶されたメモリが接続されたとき、前記印刷ファイルが前記プリンタドライバにより印刷可能な形式に変換できるものか否か判断し、前記印刷ファイルが印刷可能な形式に変換できると判断されたとき、前記プリンタドライバにより印刷可能な形式に変換すると共に、前記印刷ファイルが印刷可能な形式に変換できないと判断されたとき、前記印刷ファイルを印刷可能な形式に変換できるプリンタドライバを有する印刷処理サーバに前記印刷ファイル送信し、前記印刷処理サーバで変換されたデータを受信する印刷ファイル変換部と、を備えることを特徴とする印刷処理装置。
【請求項４】
前記メモリが接続されたとき、前記メモリ内に記憶されている印刷ファイルを表示し、この表示されたファイルの少なくとも1つが操作者により特定されたとき、その特定されたファイルを印刷されるべき印刷ファイルとして入力する操作パネル部を、更に有することを特徴とする請求項３記載の印刷処理装置。
【請求項５】
特定のアプリケーションソフトにより書かれた印刷されるべき印刷ファイルを印刷の形式に変換するプリンタドライバと、
前記印刷ファイルが記憶されたメモリが接続されたとき、前記印刷ファイルが前記プリンタドライバにより印刷可能な形式に変換できるか否か判断する印刷可能判断部と、
この印刷可能判断部により、前記印刷ファイルが印刷可能な形式に変換できると判断されたとき、前記プリンタドライバにより印刷可能な形式の変換印刷データに変換するファイル変換部と、
このファイル変換部により変換された前記変換印刷データに基づいて印刷する印刷部と、
前記印刷可能判断部により、前記印刷ファイルが印刷可能な形式に変換できないと判断されたとき、前記印刷ファイルを印刷可能な形式に変換できるプリンタドライバを有する印刷処理サーバに前記印刷ファイル送信し、前記印刷処理サーバで変換された前記変換印刷データを受信する送受信部と、
を備えることを特徴とする印刷処理装置。
【請求項６】
前記メモリが接続されたとき、前記メモリ内に記憶されている印刷ファイルを表示し、この表示されたファイルの少なくとも1つが操作者により特定されたとき、その特定されたファイルを印刷されるべき印刷ファイルとして入力する操作パネル部を、更に有することを特徴とする請求項５記載の印刷処理装置。
【請求項７】
特定のアプリケーションソフトにより書かれた印刷されるべき印刷ファイルを印刷の形式に変換するプリンタドライバと、
前記印刷ファイルが記憶された着脱可能なメモリが接続されたとき、そのメモリに記憶されているファイルのファイル形式を検知し、この検知されたファイル形式が、前記プリンタドライバによりプリンタ記述データに変換できるものか否か判断するファイル形式判断部と、
このファイル形式判断部により、前記印刷ファイルがプリンタ記述データに変換することが可能な前記プリンタドライバを有すると判断されたとき、前記印刷ファイルを前記プリンタドライバによりプリンタ記述データに変換し更にプリントラスタデータに変換するプリントラスタデータ変換部と、
このプリントラスタデータ変換部により変換されたプリントラスタデータを印刷する印刷部と、
前記ファイル形式判断部により前記印刷ファイルがプリンタ記述データに変換することができるプリンタドライバを有していないと判断されたとき、前記印刷ファイルをプリンタ記述データに変換できるプリンタドライバを有する印刷処理サーバに、前記印刷ファイル送信し、前記印刷処理サーバで変換されたプリント記述データを受信する送受信部と、
を備える印刷処理装置。
【請求項８】
前記メモリが接続されたとき、前記メモリ内に記憶されている印刷ファイルを表示し、この印刷ファイルの少なくとも1つが操作者により特定されたとき、その特定された印刷ファイルを印刷されるべき印刷ファイルとして入力する操作パネル部を、更に有することを特徴とする請求項７記載の印刷処理装置。
【請求項９】
前記ファイル形式判断部は、前記印刷ファイルの拡張子により判断することを特徴とする請求項７記載の印刷処理装置。
【請求項１０】
印刷されるべき印刷ファイルが記憶されたメモリが接続されたとき、前記印刷ファイルが、特定のアプリケーションソフトにより書かれたファイルを印刷の形式に変換するプリンタドライバにより印刷可能な形式に変換できるものか否か判断する印刷可能判断ステップと、
前記印刷可能判断ステップにより、前記印刷ファイルが印刷可能な形式に変換できると判断されたとき、前記プリンタドライバにより印刷可能な形式の変換印刷データに変換する印刷形式変換ステップと、
前記印刷可能判断ステップにおいて、前記印刷ファイルが印刷可能な形式に変換できないと判断されたとき、前記印刷ファイルを印刷可能な形式に変換できるプリンタドライバを有する印刷処理サーバに、前記印刷ファイルを送信し、前記印刷処理サーバで印刷可能な形式に変換された変換印刷データを受信する送受信ステップと、
この送受信ステップ又は前記印刷形式変換ステップにより印刷可能な形式に変換された変換印、刷データに基づき印刷する印刷ステップと、
を有して成ることを特徴とする印刷処理システムの印刷制御方法。
【請求項１１】
印刷されるべき印刷ファイルが記憶された、着脱可能なメモリが接続されたとき、前記印刷ファイルが、特定のアプリケーションソフトにより書かれたファイルを印刷の形式に変換するプリンタドライバにより印刷可能な形式に変換できるものか否か判断する印刷可能判断ステップと、
前記印刷可能判断ステップにより、前記印刷ファイルが印刷可能な形式に変換できると判断されたとき、前記プリンタドライバにより印刷可能な形式の変換印刷データに変換する第1の印刷形式変換ステップと、
前記第1の印刷判断ステップにおいて、前記印刷ファイルが印刷可能な形式に変換できないと判断されたとき、前記印刷ファイルを印刷可能な形式に変換できるプリンタドライバを有する印刷処理サーバに、前記印刷ファイルを送信する印刷ファイル送信ステップと、
前記印刷ファイル送信ステップにより送信された印刷ファイルを前記印刷処理サーバに有するプリンタドライバにより印刷可能な形式の変換印刷データに変換する第2の印刷形式変換ステップと、
この第2の印刷形式変換ステップにより印刷可能な形式に変換された前記変換印刷データを前記印刷処理サーバの送信部から送信する送信ステップと、
前記送信部から送信された前記変換印刷データを印刷処理装置の受信部にて受信する受信ステップと、
前記第１の印刷形式変換ステップ又は第２の印刷形式変換ステップにより印刷可能形式に変換された変換印刷データに基づき印刷する印刷ステップと、
を有して成ることを特徴とする印刷処理システムの印刷制御方法。
【請求項１２】
印刷されるべき印刷ファイルが記憶された、着脱可能なメモリが接続されたとき、前記印刷ファイルが、特定のアプリケーションソフトにより書かれたファイルを印刷の形式に変換するプリンタドライバにより印刷可能な形式に変換できるものか否か判断する印刷可能判断ステップと、
前記印刷可能判断ステップにより、前記印刷ファイルが印刷可能な形式に変換できると判断されたとき、前記プリンタドライバにより印刷可能な形式のプリンタ記述データに変換する第1の印刷データ変換ステップと、
前記印刷可能判断ステップにおいて、前記印刷ファイルが印刷可能な形式に変換できないと判断されたとき、前記印刷ファイルを印刷可能な形式に変換できるプリンタドライバを有する印刷処理サーバに、前記印刷ファイルを送信する印刷ファイル送信ステップと、
前記印刷ファイル送信ステップにより送信された印刷ファイルを前記印刷処理サーバに有するプリンタドライバにより印刷可能な形式のプリンタ記述データに変換する第2の印刷データ変換ステップと、
この第2の印刷データ変換ステップにより印刷可能な形式に変換された前記プリント記述データを前記印刷処理サーバの送信部から送信する送信ステップと、
前記送信部から送信された前記プリンタ記述データを印刷処理装置の受信部にて受信する受信ステップと、
前記第１の印刷データ変換ステップ又は第２の印刷データ変換ステップにより変換された前記プリント記述データをプリントラスタデータに変換するプリントラスタデータ変換ステップと、
このプリントラスタデータ変換ステップにより変換されたプリントラスタデータを印刷する印刷ステップと、
を有して成ることを特徴とする印刷処理システムの印刷制御方法。
【発明の詳細な説明】
【技術分野】
【０００１】
本発明は、印刷処理装置と、この印刷処理装置がネットワークを介して接続された印刷処理システム、及び印刷処理システムにおける印刷制御方法に関する。
【背景技術】
【０００２】
特許文献１には、次に述べるプリントシステムが開示されている。このプリントシステムは、アプリケーションを保持するサーバと、クライアントコンピュータとプリンタがネットワークを介して接続されたシステムであって、クライアントコンピュータがユーザからアプリケーションデータのプリント要求を受け付けると、そのプリント要求をクライアント情報と共にサーバに送信する。サーバはクライアント情報に基づくプリンタドライバを起動しプリントデータを生成し、クライアントコンピュータ又はプリンタに送ってそこで印刷される。
【０００３】
しかし、このシステムでは、ネットワークを介してすべてのプリントデータを一旦サーバに送るため効率が悪い、という問題があった。
【０００４】
一方、USBフラッシュメモリなどの固体メモリに直接接続され、記憶されている印刷データを、コンピュータを介することなく、直接、個別の印刷処理装置において印刷するシステムもあるが、供給されるプリントデータの種類によっては印刷できない場合もある。この場合には従来は、一旦、上記固体メモリをパーソナルコンピュータなどに接続し、対応するプリンタドライバによって印刷可能なプリントラスタイメージデータに変換した後、そのデータを印刷処理装置やプリンタに供給して印刷を行う必要があり、操作が面倒であった。
【特許文献１】特開２００３−１９６０５５号公報
【発明の開示】
【発明が解決しようとする課題】
【０００５】
本発明は上記のような従来の問題点にかんがみてなされたもので、メモリから供給される印刷データを効率よく印刷することが可能な印刷システム、印刷処理装置及び印刷処理システムの制御方法を提供することを目的とする。
【課題を解決するための手段】
【０００６】
本発明の請求項１によれば、特定のアプリケーションソフトにより書かれた印刷されるべき印刷ファイルを印刷の形式に変換するプリンタドライバと、前記印刷ファイルが記憶された、着脱可能なメモリが接続されたとき、前記印刷ファイルが前記プリンタドライバにより印刷可能な形式に変換できるものか否か判断する印刷可能判断部と、前記印刷可能判断部により、前記印刷ファイルが印刷可能な形式に変換できると判断されたとき、前記プリンタドライバにより印刷可能な形式の変換印刷データに変換する第1の印刷形式変換部と、第1の印刷形式変換部により印刷可能な形式に変換された前記変換印刷データを印刷する印刷部と、前記印刷可能判断部において、前記印刷ファイルが印刷可能な形式に変換できないと判断されたとき、前記印刷ファイルを送信する印刷ファイル送信部と、を有する印刷処理装置と、
前記印刷処理装置の印刷ファイル送信部により送信された前記印刷ファイルを受信する印刷ファイル受信部と、この印刷ファイル受信部にて受信した前記印刷ファイルを印刷可能な形式に変換できるプリンタドライバにより変換印刷データに変換する第2の印刷形式変換部と、この第2の印刷形式変換部により印刷可能な形式に変換された前記変換印刷データを前記印刷処理装置に送信する送信部と、を有する印刷処理サーバと、
を有することを特徴とする印刷処理システムを提供する。
【０００７】
本発明の請求項３によれば、特定のアプリケーションソフトにより書かれた印刷されるべき印刷ファイルを印刷の形式に変換するプリンタドライバと、印刷ファイルが記憶されたメモリが接続されたとき、前記印刷ファイルが前記プリンタドライバにより印刷可能な形式に変換できるものか否か判断し、前記印刷ファイルが印刷可能な形式に変換できると判断されたとき、前記プリンタドライバにより印刷可能な形式に変換すると共に、前記印刷ファイルが印刷可能な形式に変換できないと判断されたとき、前記印刷ファイルを印刷可能な形式に変換できるプリンタドライバを有する印刷処理サーバに前記印刷ファイル送信し、前記印刷処理サーバで変換されたデータを受信する印刷ファイル変換部と、を備えることを特徴とする印刷処理装置を提供する。
【０００８】
本発明の請求項１０によれば、印刷されるべき印刷ファイルが記憶されたメモリが接続されたとき、前記印刷ファイルが、特定のアプリケーションソフトにより書かれたファイルを印刷の形式に変換するプリンタドライバにより印刷可能な形式に変換できるものか否か判断する印刷可能判断ステップと、前記印刷可能判断ステップにより、前記印刷ファイルが印刷可能な形式に変換できると判断されたとき、前記プリンタドライバにより印刷可能な形式の変換印刷データに変換する印刷形式変換ステップと、前記印刷可能判断ステップにおいて、前記印刷ファイルが印刷可能な形式に変換できないと判断されたとき、前記印刷ファイルを印刷可能な形式に変換できるプリンタドライバを有する印刷処理サーバに、前記印刷ファイルを送信し、前記印刷処理サーバで印刷可能な形式に変換された変換印刷データを受信する送受信ステップと、この送受信ステップ又は前記印刷形式変換ステップにより印刷可能な形式に変換された変換印、刷データに基づき印刷する印刷ステップと、を有して成ることを特徴とする印刷処理システムの印刷制御方法を提供する。
【発明の効果】
【０００９】
本発明によれば、メモリから供給される印刷データを効率よく印刷することが可能な印刷システム、印刷処理装置及び印刷処理システムの制御方法が得られる。
【発明を実施するための最良の形態】
【００１０】
以下、本発明の実施形態について図面を用いて説明する。図１に本発明一実施形態の全体構成例を示す。
【００１１】
以下図面を用いて、本発明の一実施形態による印刷処理システムについて説明する。なお、本発明において、特定のアプリケーションソフトで作成された印刷したいファイル(印刷ファイル)のデータをアプリケーションプリントデータと言い、プリンタドライバにより変換された後のプリンタ記述言語で記載されたデータをプリンタ記述データまたは変換印刷データと言い、スプーラで変換された後のデータをプリントラスタイメージデータと言い、これらを区別する。
【００１２】
この実施形態の印刷処理システムは、デジタル複合機Multi Function Peripherals(MFP)である印刷処理装置と、例えばローカルエリアネットワーク(LAN)であるネットワークを介して接続された印刷処理サーバから成る。
【００１３】
本実施形態の印刷処理システムにおける印刷処理装置10の構成を図１に示し、印刷処理サーバ20の構成を図２に示す。
【００１４】
印刷処理装置10は、USBメモリなど、この印刷処理装置10に着脱可能に接続される着脱メモリ11が接続されたとき、このメモリと内部とのインターフェース処理を行う外部ローカルインターフェース(I/F)部11iと、この外部ローカルI/F部11iに接続された外部メモリドライバ部12と、この外部メモリドライバ部12と、この外部メモリドライバ部12に接続され印刷処理装置10全体の制御を行うミドルウェア部13と、操作者が操作する操作パネル部14と、この操作パネル部14及び上記ミドルウェア部13に接続されたユーザインターフェース(I/F)部14iと、ハードデスク駆動装置(HDD)などの記憶装置15と、この記憶装置15の駆動制御を行うIDEドライバ部16と、着脱メモリ11から入力されたアプリケーションプリントデータをプリンタ記述言語で記述するために使用されるプリンタドライバが記憶されている内部プリンタドライバ部17と、プリンタ記述データをプリントラスタイメージデータに変換するスプーラ18と、ミドルウェア部13に接続されたネットワークドライバ部19と、このネットワークドライバ部19と印刷処理装置10に接続されるネットワークNWに接続されるネットワークインターフェース(I/F)部19iと、印刷を行うための印刷エンジンPEとから成る。
【００１５】
着脱メモリ11がUSBメモリであれば、外部ローカルI/F部11iはUSB コネクタである。操作パネル部14は、画像を表示する表示部と操作者がキーなどにより制御信号を入力可能な入力部を有する。
【００１６】
ネットワークNWに接続されている印刷処理サーバ20は、図2に示すように、ネットワークドライバ部21と、このネットワークドライバ部21とネットワークNW間に置かれるネットワークインターフェース(I/F)21iと、プリンタドライバ部22と、ジョブコントローラ部23と、アプリケーションソフトが記憶されているアプリケーション部24とから成る。
【００１７】
ネットワークドライバ部19,21は、データをネットワークNWに送出するにあたって、伝送に適した形式にするための機能を有するものであり、送信受信に当たってデータを加工する。
【００１８】
次に本発明のこの実施形態につき、図面を用いて動作を説明する。図3及び図4は印刷処理装置10と印刷処理サーバ20における動作を説明するためのフローチャートである。
【００１９】
まずステップS301において、所定のアプリケーションソフトで書かれた、印刷したいファイルが記憶されている着脱メモリ11が、印刷処理装置10の外部ローカルI/F部11iに接続される。着脱メモリ11が接続されたことは、外部ローカルI/F部11i及び外部メモリドライバ12を介してミドルウェア部13により認識される(ステップS302)。次のステップS303ではミドルウェア部13は、着脱メモリ11内に記憶されている印刷ファイルを検索される。
【００２０】
ステップS304では、印刷ファイルがあるか検知され、なければミドルウェア部13は、操作パネル14の表示部の表示画面に印刷ファイルがないことを表示させ、ステップS305に移って処理が終了する。
【００２１】
一方、ステップS304において、1つ以上の印刷ファイルが見つかればステップS306では、印刷処理装置10の操作パネル14の表示部にステップS303において、着脱メモリ11内に見つかった印刷ファイルがリストとして表示される。
【００２２】
ステップS307では、操作者は操作パネル14の表示部の表示画面に表示されている印刷ファイルのリストのうち、印刷したいファイルを特定する。操作者は、例えば、表示画面上でマウスのカーソルをその印刷ファイルの位置に動かしクリックすることにより、印刷したいファイルを特定する。この操作者による印刷したいファイルの特定は、ユーザI/F部14iを介してミドルウェア部13で認識される。
【００２３】
なお、印刷したいファイルの指定については、操作者が操作パネル14を通して着脱メモリ11に記憶されているアプリケーションファイルを直接指定するようにすることも可能である。操作者が着脱メモリの内容を良く知っているような場合に、このようにすれば、短時間で印刷したいファイルを指定できる利点がある。また、操作パネル14におけるファイルをブラウザにより表示させ、このブラウザの画面上で印刷したいファイルを指定するようにすることも可能である。
【００２４】
次にステップS308において、ミドルウェア部13は着脱メモリ11から印刷されるべきアプリケーションファイルを読み出し、IDEドライバ部16を作動させてそのファイルを、例えばハードディスク起動装置である記憶装置15に記憶する。ステップS309では、操作者は、印刷ファイルの印刷サイズ、印刷部数など印刷を行うための各種の設定を操作パネル14から行う。この操作者により選択入力された印刷設定情報も、ユーザI/F部14iを介してミドルウェア部13で認識される。
【００２５】
次に、図4でステップS401に示すように、上記印刷したいファイルが、この印刷処理装置10において印刷可能なファイル形式であるか否か、ミドルウェア部13で判断される。この印刷可能か否かの判断は、印刷処理装置10の内部プリンタドライバ部17に対応するプリンタドライバを有するか否かの判断などにより行われる。具体的な印刷可能か否かの判断は、例えばその印刷ファイルの拡張子を検知することによってなされる。
【００２６】
着脱メモリ11から入力された印刷したいアプリケーションファイルが、印刷処理装置10において印刷可能なファイル形式である場合には、ステップS402において、内部プリンタドライバ部17からそのファイル形式に対応するプリンタドライバを読み出し、そのアプリケーションソフトに適したプリンタ記述言語のデータ(プリンタ記述データ)に変換される。スプーラ'18はその印刷ファイルを印刷処理装置10で印刷可能なプリントラスタイメージデータに変換する(ステップS403)。その後、ステップS403において、プリントラスタイメージデータが印刷エンジンPEに供給され印刷される。
【００２７】
一方、ステップS401において、選択された印刷ファイルが印刷処理装置10において印刷可能な形式でない場合には、ステップS405に移り、その印刷ファイルを、印刷の各種設定情報と共に、ネットワークNWを介して図2に示す印刷処理サーバ20に送信する。
【００２８】
印刷処理サーバ20は、ネットワークI/F部21iを介して、印刷ファイルを印刷設定情報と共に受信し、ネットワークドライバ部21を介してジョブコントローラ部23に送る。ジョブコントローラ部23は、送られてきた画像形式に対応するアプリケーションソフトを、アプリケーション部24の中から探し出し、印刷命令を送りそのアプリケーションソフトを起動する(ステップS406)。
【００２９】
次に、ステップS407において、そのアプリケーションソフトに対応するプリンタドライバをプリンタドライバ部22から探し出し、印刷ファイルをプリンタ記述データに変換する(ステップS408)。その後、その変換されたプリンタ記述データを、ネットワークドライバ部21及びネットワークI/F部21iを通り、ネットワークNW介して、印刷処理装置10に返送する(ステップS409)。
【００３０】
印刷処理サーバ20から返送されてきた印刷ファイルは、ネットワークI/F部19i、ネットワークドライバ部19を介してミドルウェア部13に入り、スプーラ部18で、プリントラスタイメージデータに変換され(ステップS403)、印刷エンジンPEに送られて印字部(図示せず)で印刷される(ステップS404)。
【００３１】
上記本発明の実施形態では、印刷処理装置10内に印刷エンジンPEを備えて印刷処理装置で印刷を行う場合について述べた。しかし、本発明はこの場合に限られず、印刷処理装置にプリンタを接続し、これによって印刷ファイルを印刷してもよい。
【００３２】
本発明の上述の実施形態によれば、内部プリンタドライバ部17では、この印刷処理装置10でよく使われるアプリケーションソフトに対応したプリントドライバのみを有しておけばよく、また印刷処理装置10にプリントドライバを有しないアプリケーションソフトで書かれたファイルを記憶する着脱メモリ11が接続された場合には、印刷処理サーバ20でその印刷ファイルに適したプリンタ記述データに変換される。したがって、着脱メモリに記憶されている印刷ファイルがどのようなものであっても、印刷は常に可能であり、よく使われる形式のアプリケーションソフトで書かれた印刷データは、比較的速く印刷される利点がある。
【００３３】
本発明による印刷処理装置に接続されるメモリは、固体メモリである必要はなく、印刷ファイルを記憶することが可能なメモリであればよい。
【００３４】
本発明は上記実施形態に限定されるものではなく、本発明の技術思想の範囲内で種々変形して実施可能である。
【図面の簡単な説明】
【００３５】
【図１】本発明の一実施形態による印刷処理システムにおける印,刷処理装置の構成を示す図。
【図２】本発明一実施形態の印刷処理システムにおける印刷処理サーバの構成を示す図。
【図３】本発明一実施形態による印刷処理システムの動作を説明するための図。
【図４】この印刷処理システムの動作を更に説明するための図。
【符号の説明】
【００３６】
１０・・・印刷処理装置、
１１・・・着脱メモリ、
１１ｉ・・・外部ローカルインターフェース(I/F)部、
１２・・・外部メモリドライバ部、
１３・・・ミドルウェア部、
１４・・・操作パネル部、
１４ｉ・・・ユーザインターフェース(I/F)部、
１５・・・記憶装置、
１６・・・IDEドライバ部、
１７・・・内部プリンタドライバ部、
１８・・・スプーラ、
１９，２１・・・ネットワークドライバ部、
２０・・・印刷処理サーバ、
２１ｉ・・・・ネットワークインターフェース(I/F)部
２２・・・ネットワークドライバ部、
２３・・・ジョブコントローラ部、
２４・・・アプリケーション部、
ＮＷ・・・ネットワーク、
ＰＥ・・・印刷エンジン。
【図１】
2006164230.tif 000003
【図２】
2006164230.tif 000004
【図３】
2006164230.tif 000005
【図４】
2006164230.tif 000006